(57)【要約】【課題】  特に困難を伴うことなく、天面壁の内面の略全域に渡って充分均一にガスバリヤー層を存在せしめることができ、従って充分なガスバリヤー性を安定して確保することができる、新規且つ改良された容器蓋を提供する。【解決手段】  シェル（２）の天面壁（８）の内面とライナー（６）との間に、ガスバリヤー性に優れたガスバリヤー層（３０）を含む介在部材（４）を存在せしめられている。介在部材（４）は、ライナー（６）の配設に先立ってシェル（２）の天面壁（８）の内面に合成樹脂素材（３４）を供給し、かかる合成樹脂素材（３４）を型押成形することによって形成されている。【選択図】          図１
2006036333.tif 000002
【特許請求の範囲】
【請求項１】
天面壁と該天面壁の周縁から垂下するスカート壁とを有する合成樹脂製シェルと、該シェルの該天面壁の内面に配設された合成樹脂製ライナーとを具備する容器蓋において、
該シェルの該天面壁の内面と該ライナーとの間にはガスバリヤー性に優れた合成樹脂から形成されたガスバリヤー層を含む介在部材が配設されており、該介在部材は、該ライナーの配設に先立って、該シェルの該天面壁の内面に合成樹脂素材を供給し、かかる合成樹脂素材を型押成形することによって形成されている、ことを特徴とする容器蓋。
【請求項２】
該合成樹脂素材は、ガスバリヤー性に優れた合成樹脂とかかる合成樹脂を囲繞する接着材とから成る複合合成樹脂素材である、請求項１記載の容器蓋。
【請求項３】
該ライナーは、該介在部材を配設した後に、該介在部材上に合成樹脂素材を供給し、かかる合成樹脂素材を型押成形することによって形成されており、該介在部材の表面と共に周縁を覆っている、請求項１又は２記載の容器蓋。
【請求項４】
該ライナーは薄肉中央部と該薄肉中央部を囲繞する環状シール部とを有し、該介在部材の外周縁は該ライナーの該薄肉中央部よりも半径方向外側に位置する、請求項３記載の容器蓋。
【発明の詳細な説明】
【技術分野】
【０００１】
本発明は、天面壁とこの天面壁の周縁から垂下するスカート壁とを有する合成樹脂製シェルと、シェルの天面壁の内面に配設された合成樹脂製ライナーとを具備する容器蓋に関する。
【背景技術】
【０００２】
下記特許文献１に開示されている如く、飲料等の容器のための容器蓋として、天面壁とこの天面壁の周縁から垂下するスカート壁とを有する合成樹脂製シェルと、このシェルの天面壁の内面に配設された合成樹脂製ライナーとを具備する容器蓋が提案され、広く実用に供されている。シェルはポリプロピレン又は硬質ポリエチレンの如き適宜の合成樹脂から射出成形又は圧縮成形によって好都合に形成される。軟質ポリエチレンの如き適宜の合成樹脂素材から形成することができるライナーは、天面壁の内面に合成樹脂素材を供給し、かかる合成樹脂素材を所要形状に型押成形することによって好都合に形成することができる。
【０００３】
上述した従来の容器蓋は、容器の内容物が例えばビールである場合には、ガスバリヤー性が充分ではなく、特にその天面壁を透過して酸素が進入することによってビールの味覚が劣化されてしまう故に、適用することができない。ガスバリヤー性に関するかような問題を解決するために、下記特許文献２には、内部にガスバリヤー性に優れた合成樹脂を含有した複合合成樹脂素材を圧縮成形して、内部にガスバリヤー層を含有した容器蓋を形成することが提案されている。
【特許文献１】特開平７−２３７６４６公報
【特許文献２】特開２００１−１３０６０４公報
【発明の開示】
【発明が解決しようとする課題】
【０００４】
内部にガスバリヤー性に優れた合成樹脂を含有した複合合成樹脂素材を圧縮成形して容器蓋を形成する場合、ガスバリヤー性に優れた合成樹脂を容器の天面壁の略全域に渡って延在せしめることが必ずしも容易ではなく、ガスバリヤー性に優れた合成樹脂が特定領域に偏在し、従って充分なガスバリヤー性が得られないことが少なくない。
【０００５】
本発明は上記事実に鑑みてなされたものであり、その主たる技術的課題は、特に困難を伴うことなく、天面壁の内面の略全域に渡って充分均一にガスバリヤー層を存在せしめることができ、従って充分なガスバリヤー性を安定して確保することができる、新規且つ改良された容器蓋を提供することである。
【課題を解決するための手段】
【０００６】
本発明者等は、鋭意検討の結果、シェルの天面壁の内面とライナーとの間に、ライナーの配設に先立ってシェルの天面壁の内面に合成樹脂素材を供給し、かかる合成樹脂素材を型押成形することによって形成される、ガスバリヤー性に優れたガスバリヤー層を含む介在部材を存在せしめることによって、上記主たる技術的課題を達成することができることを見出した。
【０００７】
即ち、本発明によれば、上記主たる技術的課題を達成する容器蓋として、天面壁と該天面壁の周縁から垂下するスカート壁とを有する合成樹脂製シェルと、該シェルの該天面壁の内面に配設された合成樹脂製ライナーとを具備する容器蓋において、
該シェルの該天面壁の内面と該ライナーとの間にはガスバリヤー性に優れた合成樹脂から形成されたガスバリヤー層を含む介在部材が配設されており、該介在部材は、該ライナーの配設に先立って、該シェルの該天面壁の内面に合成樹脂素材を供給し、かかる合成樹脂素材を型押成形することによって形成されている、ことを特徴とする容器蓋が提供される。
【０００８】
該合成樹脂素材は、ガスバリヤー性に優れた合成樹脂とかかる合成樹脂を囲繞する接着材とから成る複合合成樹脂素材であるのが好ましい。該ライナーは、該介在部材を配設した後に、該介在部材上に合成樹脂素材を供給し、かかる合成樹脂素材を型押成形することによって形成されており、該介在部材の表面と共に周縁を覆っているのが好適である。該ライナーは薄肉中央部と該薄肉中央部を囲繞する環状シール部とを有し、該介在部材の外周縁は該ライナーの該薄肉中央部よりも半径方向外側に位置するのが好ましい。
【発明の効果】
【０００９】
本発明の容器蓋においては、シェルの天面壁の内面上でガスバリヤー層を含む介在部材が型押され、それ故に特に困難を伴うことなくシェルの天面壁の略全域に渡って充分均一にガスバリヤー層を存在せしめて、充分なガスバリヤー性を安定して確保することができる。
【発明を実施するための最良の形態】
【００１０】
以下、添付図面を参照して、本発明に従って構成された容器蓋の好適実施形態について更に詳細に説明する。
【００１１】
図１は本発明に従って構成された容器蓋の好適実施形態を図示している。図示の容器蓋は、シェル２、介在部材４及びライナー６から構成されている。
【００１２】
ポリプロピレン又は硬質ポリエチレンの如き適宜の合成樹脂から射出成形又は圧縮成形によって成形することができるシェル２は、円形天面壁８とこの天面壁８の周縁から垂下する略円筒形状のスカート壁１０とを有する。天面壁８の外面(上面）及び内面(下面）は共に実質上水平に延在する平面でよい。スカート壁１０には周方向破断ライン１２が形成されており、スカート壁１０は周方向破断ライン１２よりも上方の主部１４と周方向破断ライン１２よりも下方のタンパーエビデント裾部１６に区画されている。スカート壁１０の内周面下部には下方を向いた環状肩部１８が形成されており、かかる環状肩面１８から下方に延びる突条２０が周方向に間隔をおいて複数個形成されている。上記周方向破断ライン１２は、複数個の突条２０が形成されている領域においてスカート壁１０の外周面から切断刃(図示していない）を作用せしめて、突条２０の少なくとも一部を残留せしめてスカート壁１０を切断することによって形成されている。複数個の突条２０の切断されることなく残留せしめられている部分が所謂橋絡部を構成し、タンパーエビデント裾部１６は橋絡部を介して主部１４に接続されている。スカート壁１０の主部１４の外周面には、そこに掛けられる指の滑りを防止するための凹凸形状２２が形成されている。主部１４の内周面には雌螺条２４が形成されている。この雌螺条２４には軸線方向所定部位において切欠部２６が形成されており、かかる切欠部２６は所謂通気路を構成する。タンパーエビデント裾部１６の内周面には係止手段２８が形成されている。図示の実施形態における係止手段２８は、周方向に間隔をおいてタンパーエビデント裾部１６の内周面に配設された複数個の係止片から構成されている。図示の実施形態におけるシェル２自体の構成は、周知のものであり、本発明に従って構成された容器蓋の新規な特徴を構成するものではない故に、これらについての詳細な説明は本明細書においては省略する。
【００１３】
図示の実施形態における介在部材４は、薄円板形状であるガスバリヤー層３０とかかるガスバリヤー層３０の全体を覆っている接着材層３２とから構成されている。介在部材４は、ライナー６の配設に先立って、上記シェル２の天面壁８の内面に軟化乃至溶融状態の合成樹脂素材を供給し、次いでかかる合成樹脂素材を型押成形することによって形成されたものであることが重要である。図１と共に図２及び図３を参照して説明を続けると、好適実施形態においては、図２に図示する如く、倒立状態にせしめられたシェル２の天面壁８の内面中央部上に合成樹脂素材３４を供給する。合成樹脂素材３４はガスバリヤー性に優れた合成樹脂３６とかかる合成樹脂３６を囲繞する接着材３８とから構成されている。次いで、図３に図示する如く、シェル２内に型押工具４０を挿入して合成樹脂素材３４を薄円板形状の介在部材４に型押成形する。図示の型押工具４０は、円柱形状のセンターパンチ４２とかかるパンチ４２を囲繞する外側スリーブ４４とから構成されている。スリーブ４４の先端（下端）はシェル２の天面壁８の内面に当接せしめられる。ガスバリヤー性に優れた合成樹脂３６としては、エチレン−ビニルアルコール共重合体（ＥＶＯＨ）を例示することができる。また、接着材３８の好適例としては、接着性ポリオレフィン        を挙げることができる。
【００１４】
ライナー６は、上述したとおりにして介在部材４を形成した後に、図４に図示する如く介在部材４の表面(図４において上面）上に合成樹脂素材４６を供給し、次いで図５に図示する如くシェル２内に型押工具４８を挿入して合成樹脂素材４６を所要形状に型押成形することによって好都合に形成することができる。図示の実施形態におけるライナー６は薄肉中央部５０とこの薄肉中央部５０を囲繞する環状シール部５２とを有する。かようなライナー６は、上記介在部材４の表面と共に周縁を覆い、従って介在部材４はその全体がライナー６に覆われているのが好適である。介在部材４の外周縁はライナー６の薄肉中央部５０よりも半径方向外側に位置するのが好ましい。ライナー６を型押成形する型押工具４８は、円柱形状のセンターパンチ５４、このパンチ５４を囲繞する中間ブッシング５６、及びブッシング５６を囲繞する外側スリーブ５８とから構成されている。スリーブ５８の先端はシェル２の天面壁８の内面に当接せしめられる。
【００１５】
図６には、容器蓋と共にこの容器蓋が適用される容器の一部も図示されている。ガスバリヤー層を含有したポリエチレンテレフタレートの如き適宜の合成樹脂或いはガラスから形成することができる容器は、全体として略円筒形状の口頸部６０を有する。上面が開口された口頸部６０の外周面には雄螺条６２及びこの雄螺条６２の下方に位置する環状係止あご部６４が形成されている。容器の口頸部６０に容器蓋を装着して口頸部６０を密封する際には、口頸部６０に容器蓋を被嵌して閉方向、即ち図６において上方から見て時計方向に回転せしめる。かくすると、口頸部６０の雄螺条６２に容器蓋のシェル２における雌螺条２４が漸次螺合され、容器蓋は回転と共に下降せしめられる。タンパーエビデント裾部１６に形成されている係止手段２８は半径方向外方に弾性的に変形せしめられて口頸部６０に形成されている係止あご部６４を乗り越え、次いで弾性的に復元して係止あご部６４に係止せしめられる。ライナー６の環状シール部５２は口頸部６０に密接せしめられ、かくして口頸部６０が密封される。そして、介在部材４におけるガスバリヤー性に優れた合成樹脂３６が口頸部６０の全体を覆う。
【００１６】
本発明に従って構成された容器蓋においては、シェル２の天面壁８の内面とライナー６との間には介在部材４が配設されており、かかる介在部材４にはシェル２の天面壁８の略全領域に渡って均一に延在するガスバリヤー層３０を含んでいる。それ故に、シェル２、特にその天面壁８を透過して酸素が容器内に進入することが充分確実に阻止され、従って容器の内容物がビールであってもその風味が劣化されることが充分に防止乃至抑制される。
【００１７】
容器の口頸部６０を開封する際には、容器蓋を開方向、即ち図６において上方から見て反時計方向に回転せしめる。かくすると、タンパーエビデント裾部１６は、その内周面に形成されている係止手段２８が口頸部６０の外周面に形成されている係止あご部６４に係止せしめられている故に、上昇が阻止されるが、容器蓋のその他の部分は、回転によって雄螺条６２に対する雌螺条２４の螺合が解除されるに応じて上昇せしめられる。従って、シェル２のスカート壁１０に形成されている周方向破断ライン１２、更に詳しくはその橋絡部に相当な応力が生成されて橋絡部が破断され、タンパーエビデント裾部１６が主部１４から切り離される。しかる後においては、容器蓋の、シェル２におけるタンパーエビデント裾部１６以外の部分は回転と共に自由に上昇せしめられて口頸部６０から離脱され、かくして口頸部６０が開封される。図示の実施形態においては、口頸部６０を開封する際に周方向破断ライン１２が周方向全周に渡って破断されてタンパーエビデント裾部１６が主部１４から完全に切り離され、タンパーエビデント裾部１６は口頸部６０から離脱されることなく口頸部６０に残留せしめられるが、所望ならば、周方向破断ライン１２における橋絡部の少なくとも１個を破断されることなく維持され続ける強橋絡部にせしめると共に、タンパーエビデント裾部１６に軸線方向に延びる軸線方向破断ラインを形成し、口頸部６０を開封する際には軸線方向破断ラインが破断されてタンパーエビデント裾部１６が無端環状形態から有端帯状形態に展開され、破断されることなく維持される強橋絡部を介して主部１４に接続されているタンパーエビデント裾部１６も口頸部６０から離脱されるようにせしめることもできる。
【図面の簡単な説明】
【００１８】
【図１】本発明に従って構成された容器蓋の好適実施形態を、一部を断面で示す正面図。
【図２】図１の容器蓋における介在部材を形成する工程の前段階(合成樹脂素材供給）を示す断面図。
【図３】図１の容器蓋における介在部材を形成する工程の後段階(型押成形）を示す断面図。
【図４】図１の容器蓋におけるライナーを形成する工程の前段階(合成樹脂素材供給）を示す断面図。
【図５】図１の容器蓋におけるライナーを形成する工程の後段階(型押成形）を示す断面図。
【図６】図１の容器蓋を容器の口頸部に装着した状態を、一部を断面で示す正面図。
【符号の説明】
【００１９】
２：シェル
４：介在部材
６：ライナー
８：シェルの天面壁
１０：シェルのスカート壁
３０：介在部材のガスバリヤー層
３２：介在部材の接着材層
３４：合成樹脂素材(介在部材型押成形用）
３６：ガスバリヤー性に優れた合成樹脂
３８：接着材
４６：合成樹脂素材（ライナー型押成形用）
【図１】
2006036333.tif 000003
【図２】
2006036333.tif 000004
【図３】
2006036333.tif 000005
【図４】
2006036333.tif 000006
【図５】
2006036333.tif 000007
【図６】
2006036333.tif 000008